(57)【要約】      （修正有）【課題】信頼性の高いガス抜き機能を備えた安価なエアゾール容器用キャップを提供する。【解決手段】通常の利用状態では、押圧ピン６を、押圧操作面６ａとは反対の側が鞘状部４ｐに嵌合した状態でキャップ４に保持しておく。ガス抜きを行う時には、いったん押圧ピン６をキャップ４から取外した上で当該キャップを容器本体１側に取り付けてから、当該押圧ピンの操作面６ａを押圧して先端から天面４ｃの孔部４ｎに押し込む。このとき押圧ピン６の先端が操作ボタン３を押圧し、容器本体の残留ガスは操作ボタン３の噴射孔から開口部４ｖを経てキャップ４の外部空間域に放出される。押圧ピン６の周面部分には、孔部４ｎにいったん押し込まれると元の方向への復帰が阻止される形状からなる複数の環状係止部６ｂが設けられているので、ガス放出状態は維持される。【選択図】図２
2010006397.tif 000002
【特許請求の範囲】
【請求項１】
操作ボタンを囲んで保護する筒状部および天面を少なくとも備えて容器本体側に着脱可能な形で取り付けられ、かつ、当該操作ボタンを作動モード対応位置に移動させるためのガス抜き具がセットされた状態でエアゾール式製品のガス抜きモードを設定することができるエアゾール容器用キャップにおいて、
前記天面は、前記ガス抜き具を挿入するための孔部を中央部分に有し、かつ、当該中央部分から外れて前記操作ボタンと対向しない部分に当該ガス抜き具を収納するための保持部を有し、
前記ガス抜き具は、
前記天面の外側から内側への順方向により前記孔部に挿入され、当該挿入後のこれとは反対の逆方向への移動が阻止される形のピン状部材からなり、
前記保持部に取外し可能な形で取り付けられる被保持部と、
前記順方向への挿入を阻止せずに前記逆方向への移動を阻止するための複数の一方向性設定部分が、それぞれ前記挿入方向の離間した位置に形成された外周面部と、を備え、
ガス抜きモード以外のときは、前記被保持部が前記天面の保持部に取り付けられ、
ガス抜きモードの設定に際しては、キャップが前記容器本体側に取り付けられた状態で、前記孔部に挿入されることにより前記操作ボタンを押圧して作動モード対応位置に移動させ、かつ、当該移動後の操作ボタン位置が前記一方向性設定部分の作用に基づいて保持される、
ことを特徴とするガス抜きモード設定機能を備えたエアゾール容器用キャップ。
【請求項２】
操作ボタンを囲んで保護する筒状部および天面を少なくとも備えて容器本体側に着脱可能な形で取り付けられ、かつ、当該操作ボタンを作動モード対応位置に移動させるためのガス抜き具がセットされた状態でエアゾール式製品のガス抜きモードを設定することができるエアゾール容器用キャップにおいて、
前記筒状部は、内筒状部とその回りの外筒状部とからなり、
前記ガス抜き具は、
キャップから取外し可能な変形性状部材からなり、
ガス抜きモード以外のときは、前記内筒状部と前記外筒状部との間の環状空間域に、当該内筒状部の外周面および当該外筒状部の内周面のそれぞれに対する当接作用により保持され、
ガス抜きモードの設定に際しては、前記内筒状部の中の鞘状空間域に、当該内筒状部の内周面に対する当接作用により保持され、かつ、キャップが前記容器本体側に取り付けられるときに前記操作ボタンを押圧して作動モード対応位置に移動させる、
ことを特徴とするガス抜きモード設定機能を備えたエアゾール容器用キャップ。
【請求項３】
操作ボタンを囲んで保護する筒状部および天面を少なくとも備えて容器本体側に着脱可能な形で取り付けられ、かつ、当該操作ボタンを作動モード対応位置に移動させるためのガス抜き具がセットされた状態でエアゾール式製品のガス抜きモードを設定することができるエアゾール容器用キャップにおいて、
前記天面は、前記ガス抜き具をガス抜きモードの形態に設定するための少なくとも二個の孔部を有し、
前記ガス抜き具は、
変形性状の長尺部材からなり、
ガス抜きモード以外のときは、前記筒状部または前記容器本体側に取外し可能な態様で保持され、
ガス抜きモードの設定に際しては、前記孔部を通って長尺部材端部のそれぞれが当該孔部よりも外側に飛び出る形のＵ字状に設定され、かつ、キャップが前記容器本体側に取り付けられるときに、当該Ｕ字状の底部分で前記操作ボタンを押圧して作動モード対応位置に移動させる、
ことを特徴とするガス抜きモード設定機能を備えたエアゾール容器用キャップ。
【請求項４】
操作ボタンを囲んで保護する筒状部および天面を少なくとも備えて容器本体側に着脱可能な形で取り付けられ、かつ、当該操作ボタンを作動モード対応位置に移動させるためのガス抜き具がセットされた状態でエアゾール式製品のガス抜きモードを設定することができるエアゾール容器用キャップにおいて、
前記ガス抜き具は、
キャップから取外し可能な湾曲板状部材からなり、
ガス抜きモード以外のときは、前記筒状部の周面部分に保持され、
ガス抜きモードの設定に際しては、キャップの内面部分に前記湾曲板状部材の縁部が当接して下に凸となる形で保持され、かつ、キャップが前記容器本体側に取り付けられるときに、当該凸状態の底部分で前記操作ボタンを押圧して作動モード対応位置に移動させる、
ことを特徴とするガス抜きモード設定機能を備えたエアゾール容器用キャップ。
【請求項５】
操作ボタンを囲んで保護する筒状部および天面を少なくとも備えて容器本体側に着脱可能な形で取り付けられ、かつ、当該操作ボタンを作動モード対応位置に移動させるためのガス抜き具がセットされた状態でエアゾール式製品のガス抜きモードを設定することができるエアゾール容器用キャップにおいて、
前記筒状部は、下端側が開口して前記ガス抜き具をガス抜きモード位置に受け入れるためのスリット状部分を有し、
前記ガス抜き具は、
キャップから取外し可能なＣ字状部材からなり、
ガス抜きモード以外のときは、前記筒状部の周面部分に保持され、
ガス抜きモードの設定に際しては、前記スリット状部分に入れられて下端部分の一部が前記操作ボタンの上方に位置する形で保持され、かつ、キャップが容器本体側に取り付けられるときに、当該下端部分の一部で前記操作ボタンを押圧して作動モード対応位置に移動させる、
ことを特徴とするガス抜きモード設定機能を備えたエアゾール容器用キャップ。
【請求項６】
操作ボタンを囲んで保護する筒状部および天面を少なくとも備えて容器本体側に着脱可能な形で取り付けられ、かつ、当該操作ボタンを作動モード対応位置に移動させるためのガス抜き具がセットされた状態でエアゾール式製品のガス抜きモードを設定することができるエアゾール容器用キャップにおいて、
前記ガス抜き具は、
底部および環状側部を備えてキャップから取外し可能な鞘状部材からなり、
ガス抜きモード以外のときは、前記底部を上にした状態で前記筒状部の天面側部分に保持され、
ガス抜きモードの設定に際しては、前記底部を下にした状態で前記筒状部に保持され、かつ、キャップが前記容器本体側に取り付けられるときに、当該底部で前記操作ボタンを押圧して作動モード対応位置に移動させる、
ことを特徴とするガス抜きモード設定機能を備えたエアゾール容器用キャップ。
【請求項７】
操作ボタンを囲んで保護する筒状部および天面を少なくとも備えて容器本体側に着脱可能な形で取り付けられ、かつ、当該操作ボタンを作動モード対応位置に移動させるガス抜き具としての棒状部材がセットされた状態でエアゾール式製品のガス抜きモードを設定することができるエアゾール容器用キャップにおいて、
前記天面は、
前記棒状部材の長手方向周面に対する少なくとも一対の係合保持部を、
当該棒状部材がセットされていない前記キャップが前記容器本体側に取り付けられた通常のキャップ装着モードでは前記操作ボタンから離間し、
かつ、当該棒状部材の一部と係合した状態の前記キャップが前記容器本体側に取り付けられるガス抜きモードの設定に際しては、当該係合後の棒状部材が前記操作ボタンを押圧して作動モード対応位置に移動させる形で、有している、
ことを特徴とするガス抜きモード設定機能を備えたエアゾール容器用キャップ。
【請求項８】
前記天面は、ガス抜きモードのガス流出経路となる孔部を有している、
ことを特徴とする請求項１乃至７のいずれかに記載のガス抜きモード設定機能を備えたエアゾール容器用キャップ。
【請求項９】
請求項１乃至８のいずれかに記載のエアゾール用キャップを備え、かつ、噴射用ガスおよび内容物を収容した、
ことを特徴とするエアゾール式製品。
【発明の詳細な説明】
【技術分野】
【０００１】
本発明は、エアゾール式製品に用いられるガス抜きモード設定機能を備えたエアゾール用キャップなどに関する。
【０００２】
特に操作ボタンを囲んで保護する筒状部および天面を少なくとも備えて容器本体側に着脱可能な形で取り付けられ、かつ、当該操作ボタンを作動モード対応位置に移動させるための各種タイプのガス抜き具がセットされた状態でエアゾール式製品のガス抜きモードを設定することができる、エアゾール容器用キャップに関するものである。
【０００３】
本明細書では、
・「静止モード」の語を、エアゾール容器のバルブが閉じて容器内部と外部空間とが連通していない状態を示す意で用い、
・「作動モード」の語を、操作ボタンに対する利用者の噴射操作といわば１対１の対応関係にたつ内容物噴射状態（エアゾール容器のバルブが開いて容器内部と外部空間とが連通した状態）を示す意で用い、
・「ガス抜きモード」の語を、キャップに取り付けられた各種ガス抜き具の作用により操作ボタンが作動モード対応位置に保持されたままとなって、容器内部の残留ガスなどが続けて噴射される状態を示す意で用い、
・「キャップ」の語を、エアゾール容器本体側（マウンティングキャップおよび容器本体など）に着脱自在な形で取り付けられて、エアゾール容器の静止モードにおいては容器本体側に取り付けられて操作ボタンを保護し、また、作動モードにおいては当該容器本体から取り外されタイプの保護部材を示す意で用いる。
【０００４】
一般にガス抜きモードの設定は、使用済みエアゾール容器を廃棄するときに初めて必要となり、まだ容器に内容物が存在している通常の使用段階では不要なものである。
【０００５】
そのため、ガス抜きモード保持のための機構は、エアゾール式製品の通常の使用段階では内容物噴射動作の障害とならず、また利用者にとっていわば目障りにもならず、利用者がガス抜きモードの設定操作を簡単に行えることが望ましい。また、比較的長時間にわたってエアゾール式製品の内容物を連続噴射させる場合に、利用者がそのための操作自体を継続的に行わなくても済むことが望ましい。
本発明はこのような要請にも応えるものである。
【背景技術】
【０００６】
従来、操作ボタンを作動モード対応位置に移動させるためのガス抜き具を例えば操作ボタン保護用のふた（＝本願発明のキャップ）の一部に保持するなどしておき、ガス抜きモード設定の際にはガス抜き具をふた天面の中央部分（＝操作ボタン天面との対向部分）にセットし、かつ、「ふた」が容器に取り付けられた状態にすることにより、エアゾール容器のガス抜きモード設定をおこなうようにしたガス抜き機構付ふたが提案されている（特許文献１参照）。
【０００７】
このガス抜き機構付ふたの場合、
(11)ガス抜きの必要性がまだ生じていない段階（静止モード，作動モード）でのガス抜き具を収納しておくための収納保持部や、ガス抜きモード設定の際にガス抜き具を「ふた」天面の中央部分（＝操作ボタン天面と対向する部分）に取り付けるための設定保持部を、「ふた」内部に新たに形成する、
(12)「ふた」天面の中央部分に形成した筒状穴部〔１９〕にピン状の障害物〔２０：ガス抜き具〕を「ふた」外部から挿入して、その先端部分で噴射ボタン（操作ボタン）を作動モード対応位置に移動させて保持する、
などの構造形態になっている。
【特許文献１】特許第３７２３３３０号公報
【発明の開示】
【発明が解決しようとする課題】
【０００８】
以上のガス抜き機能を備えた「ふた」（キャップ）の場合、まだ使用されないときのガス抜き具をしまっておくための構成要素や、使用するときのガス抜き具を天面中央部分へ取り付けるための構成要素を新たに設けているので、「ふた」製造面における効率性が悪く、製品のコストアップにつながりやすいなどの問題点があった。
【０００９】
また、ピン状の障害物〔２０〕は、「ふた」の外側から筒状穴部〔１９〕に挿入されることによりその中の操作ボタン（およびこれと一体のステム）に作用して、当該操作ボタンをガス抜きモード位置（＝作動モード対応位置）に移動させ、そこに保持するといった機能を持つものの、この保持状態を積極的に継続するための形状を有していない。
そのため、ガス抜き具の当該障害物は、周知のステム復帰用の強い弾性力でガス抜きモードの設定状態から「ふた」外側の方に移動してしまう可能性があり、ガス抜き具としての信頼性が十分に担保されないという問題点があった。
【００１０】
そこで本発明では、不要段階でのガス抜き具を保持するキャップ部分や、ガス抜きモード設定時にガス抜き具を取り付けるキャップ部分として、キャップのもともとの構成要素である筒状部，天面を利用し、これにより既存キャップ形状との共通性をできるだけ確保して各種タイプに対応した「ガス抜きモード設定機能を備えたエアゾール容器用キャップ」の製造工程での転用化，効率化を図ることを目的とする。
【００１１】
また、キャップ天面の孔部からキャップ内部に挿入されて操作ボタンを作動モード位置に移動させるピン状タイプのガス抜き具については、その外周面に、キャップ外部へのいわば抜け防止域として作用する形状部分を設け、これによりガス抜きモード設定動作の信頼性を高めることを目的とする。
【課題を解決するための手段】
【００１２】
本発明は、以上の課題を次のようにして解決する。
（１）「図１，２に対応」
操作ボタン（例えば後述の操作ボタン３）を囲んで保護する筒状部（例えば後述の外コア４ｂ）および天面（例えば後述の天面４ｃ）を少なくとも備えて容器本体側に着脱可能な形で取り付けられ、かつ、当該操作ボタンを作動モード対応位置に移動させるためのガス抜き具がセットされた状態でエアゾール式製品のガス抜きモードを設定することができるエアゾール容器用キャップにおいて、
前記天面は、前記ガス抜き具を挿入するための孔部（例えば後述の孔部４ｎ）を中央部分に有し、かつ、当該中央部分から外れて前記操作ボタンと対向しない部分に当該ガス抜き具を収納するための保持部（例えば後述の鞘状部４ｐ）を有し、
前記ガス抜き具は、
前記天面の外側から内側への順方向により前記孔部に挿入され、当該挿入後のこれとは反対の逆方向への移動が阻止される形のピン状部材（例えば後述の押圧ピン６）からなり、
前記保持部に取外し可能な形で取り付けられる被保持部（例えば後述の環状突部６ｅ）と、
前記順方向への挿入を阻止せずに前記逆方向への移動を阻止するための複数の一方向性設定部分（例えば後述の環状係止部６ｂ）が、それぞれ前記挿入方向の離間した位置に形成された外周面部と、を備え、
ガス抜きモード以外のときは、前記被保持部が前記天面の保持部に取り付けられ、
ガス抜きモードの設定に際しては、キャップが前記容器本体側に取り付けられた状態で、前記孔部に挿入されることにより前記操作ボタンを押圧して作動モード対応位置に移動させ、かつ、当該移動後の操作ボタン位置が前記一方向性設定部分の作用に基づいて保持される形の、
ガス抜きモード設定機能を備えたものにする。
（２）「図３，４に対応」
操作ボタン（例えば後述の操作ボタン３）を囲んで保護する筒状部（例えば後述の内コア４ａ，外コア４ｂ）および天面（例えば後述の天面４ｃ）を少なくとも備えて容器本体側に着脱可能な形で取り付けられ、かつ、当該操作ボタンを作動モード対応位置に移動させるためのガス抜き具がセットされた状態でエアゾール式製品のガス抜きモードを設定することができるエアゾール容器用キャップにおいて、
前記筒状部は、内筒状部（例えば後述の内コア４ａ）とその回りの外筒状部（例えば後述の外コア４ｂ）とからなり、
前記ガス抜き具は、
キャップから取外し可能な変形性状部材（例えば後述のスポンジ５）からなり、
ガス抜きモード以外のときは、前記内筒状部と前記外筒状部との間の環状空間域（例えば後述の環状空間域ｓ２）に、当該内筒状部の外周面および当該外筒状部の内周面のそれぞれに対する当接作用により保持され、
ガス抜きモードの設定に際しては、前記内筒状部の中の鞘状空間域（例えば後述の鞘状空間域ｓ１）に、当該内筒状部の内周面に対する当接作用により保持され、かつ、キャップが前記容器本体側に取り付けられるときに前記操作ボタンを押圧して作動モード対応位置に移動させる形の、
ガス抜きモード設定機能を備えたものにする。
（３）「図５，６に対応」
操作ボタン（例えば後述の操作ボタン３）を囲んで保護する筒状部（例えば後述の外コア４ｂ）および天面（例えば後述の天面４ｃ）を少なくとも備えて容器本体側に着脱可能な形で取り付けられ、かつ、当該操作ボタンを作動モード対応位置に移動させるためのガス抜き具がセットされた状態でエアゾール式製品のガス抜きモードを設定することができるエアゾール容器用キャップにおいて、
前記天面は、前記ガス抜き具をガス抜きモードの形態に設定するための少なくとも二個の孔部（例えば後述の煙突状孔部４ｑ）を有し、
前記ガス抜き具は、
変形性状の長尺部材（例えば後述のパイプ７）からなり、
ガス抜きモード以外のときは、前記筒状部または前記容器本体側に取外し可能な態様で保持され、
ガス抜きモードの設定に際しては、前記孔部を通って長尺部材端部のそれぞれが当該孔部よりも外側に飛び出る形のＵ字状に設定され、かつ、キャップが前記容器本体側に取り付けられるときに、当該Ｕ字状の底部分で前記操作ボタンを押圧して作動モード対応位置に移動させる形の、
ガス抜きモード設定機能を備えたものにする。
（４）「図７，８に対応」
操作ボタン（例えば後述の操作ボタン３）を囲んで保護する筒状部（例えば後述の内コア４ａ，外コア４ｂ）および天面（例えば後述の天面４ｃ）を少なくとも備えて容器本体側に着脱可能な形で取り付けられ、かつ、当該操作ボタンを作動モード対応位置に移動させるためのガス抜き具がセットされた状態でエアゾール式製品のガス抜きモードを設定することができるエアゾール容器用キャップにおいて、
前記ガス抜き具は、
キャップから取外し可能な湾曲板状部材（例えば後述の湾曲板８）からなり、
ガス抜きモード以外のときは、前記筒状部の周面部分に保持され、
ガス抜きモードの設定に際しては、キャップの内面部分に前記湾曲板状部材の縁部が当接して下に凸となる形で保持され、かつ、キャップが前記容器本体側に取り付けられるときに、当該凸状態の底部分で前記操作ボタンを押圧して作動モード対応位置に移動させる形の、
ガス抜きモード設定機能を備えたものにする。
（５）「図９〜図１４に対応」
操作ボタン（例えば後述の操作ボタン３）を囲んで保護する筒状部（例えば後述の内コア４ａ，外コア４ｂ）および天面（例えば後述の天面４ｃ）を少なくとも備えて容器本体側に着脱可能な形で取り付けられ、かつ、当該操作ボタンを作動モード対応位置に移動させるためのガス抜き具がセットされた状態でエアゾール式製品のガス抜きモードを設定することができるエアゾール容器用キャップにおいて、
前記筒状部は、下端側が開口して前記ガス抜き具をガス抜きモード位置に受け入れるためのスリット状部分（例えば後述の下端側スリット状部４ｄ，４ｄ’）を有し、
前記ガス抜き具は、
キャップから取外し可能なＣ字状部材（例えば後述のＣ字状部材９，９’）からなり、
ガス抜きモード以外のときは、前記筒状部の周面部分に保持され、
ガス抜きモードの設定に際しては、前記スリット状部分に入れられて下端部分の一部が前記操作ボタンの上方に位置する形で保持され、かつ、キャップが容器本体側に取り付けられるときに、当該下端部分の一部で前記操作ボタンを押圧して作動モード対応位置に移動させる形の、
ガス抜きモード設定機能を備えたものにする。
（６）「図１５，１６に対応」
操作ボタン（例えば後述の操作ボタン３）を囲んで保護する筒状部（例えば後述の内コア４ａ，外コア４ｂ）および天面（例えば後述の天面４ｃ）を少なくとも備えて容器本体側に着脱可能な形で取り付けられ、かつ、当該操作ボタンを作動モード対応位置に移動させるためのガス抜き具がセットされた状態でエアゾール式製品のガス抜きモードを設定することができるエアゾール容器用キャップにおいて、
前記ガス抜き具は、
底部（例えば後述の底部１０ａ）および環状側部（例えば後述の環状壁部１０ｂ）を備えてキャップから取外し可能な鞘状部材（例えば後述の鞘状プレート１０）からなり、
ガス抜きモード以外のときは、前記底部を上にした状態で前記筒状部の天面側部分に保持され、
ガス抜きモードの設定に際しては、前記底部を下にした状態で前記筒状部に保持され、かつ、キャップが前記容器本体側に取り付けられるときに、当該底部で前記操作ボタンを押圧して作動モード対応位置に移動させる形の、
ガス抜きモード設定機能を備えたものにする。
（７）「図１７，１８に対応」
操作ボタンを囲んで保護する筒状部および天面を少なくとも備えて容器本体側に着脱可能な形で取り付けられ、かつ、当該操作ボタンを作動モード対応位置に移動させるガス抜き具としての棒状部材（例えば後述のパイプ７）がセットされた状態でエアゾール式製品のガス抜きモードを設定することができるエアゾール容器用キャップにおいて、
前記天面は、
前記棒状部材の長手方向周面に対する少なくとも一対の係合保持部（例えば後述のΩ字状切欠部４ｗ，4ｗ’）を、
当該棒状部材がセットされていない前記キャップが前記容器本体側に取り付けられた通常のキャップ装着モードでは前記操作ボタンから離間し、
かつ、当該棒状部材の一部と係合した状態の前記キャップが前記容器本体側に取り付けられるガス抜きモードの設定に際しては、当該係合後の棒状部材が前記操作ボタンを押圧して作動モード対応位置に移動させる形で、有している、
ガス抜きモード設定機能を備えたものにする。
（８）上記（１）〜（７）において、
前記天面に、ガス抜きモードのガス流出経路となる孔部（例えば後述の孔部４ｋ，４ｍ）を設ける。
【００１３】
このような構成からなるエアゾール用キャップおよび、当該キャップを備えたエアゾール式製品を本発明の対象としている。
【発明の効果】
【００１４】
本発明は、このようにキャップ天面の孔部からキャップ内部に挿入されて操作ボタンを作動モード位置に移動させるピン状タイプのガス抜き具については、その外周面に、キャップ外部へのいわば抜け防止域として作用する形状部分を軸方向に離間する形で複数設けているので、ガス抜き具の挿入用孔部から押圧対象の操作ボタンまでの間隔にばらつきがある場合にも、当接操作ボタンを確実に作動モード対応位置まで移動させて、ガス抜きモード設定動作の信頼性を高めることができる。
【００１５】
また、ガス抜き具を不使用時に保持するキャップ部分や、ガス抜きモード設定時にガス抜き具を取り付けるキャップ部分として、キャップのもともとの構成要素である筒状部，天面の利用を図っている。
【００１６】
そのため既存キャップ形状との共通性をできるだけ確保して各種タイプに対応した「ガス抜きモード設定機能を備えたエアゾール容器用キャップ」の製造工程での転用化，効率化を図ることができる。
【発明を実施するための最良の形態】
【００１７】
図１乃至図１８を用いて本発明を実施するための最良の形態を説明する。
【００１８】
ここで、
図１は、一方向性の押圧ピンからなるガス抜き具をキャップの保管部分に保持した状態を示し、
図２は、図１の押圧ピンをキャップのガス抜きモード設定箇所に保持した状態を示し、
図３は、スポンジからなるガス抜き具をキャップの保管部分に保持した状態を示し、
図４は、図３のスポンジをキャップのガス抜きモード設定箇所に保持した状態を示し、
図５は、内容物噴射用のパイプからなるガス抜き具をキャップの保管部分に保持した状態を示し、
図６は、図５のパイプをキャップのガス抜きモード設定箇所（煙突状孔部）に保持した状態を示し、
図７は、湾曲板からなるガス抜き具をキャップの保管部分に保持した状態を示し、
図８は、図７の湾曲板をキャップのガス抜きモード設定箇所に保持した状態を示し、
図９は、Ｃ字状部材（その１）からなるガス抜き具をキャップの保管部分に保持した不使用状態を示し、
図１０は、図９のＣ字状部材をキャップのガス抜きモード設定箇所に保持した使用状態の斜視図および、当該Ｃ字状部材の斜視図を示し、
図１１は、図９のＣ字状部材をキャップのガス抜きモード設定箇所に保持した使用状態の平面図などを示し、
図１２は、Ｃ字状部材（その２）からなるガス抜き具をキャップの保管部分に保持した不使用状態を示し、
図１３は、図１２のＣ字状部材をキャップのガス抜きモード設定箇所に保持した使用状態の斜視図および、当該Ｃ字状部材の斜視図を示し、
図１４は、図１２のＣ字状部材をキャップのガス抜きモード設定箇所に保持した使用状態の平面図などを示し、
図１５は、鞘状プレートからなるガス抜き具をキャップの保管部分に保持した不使用状態を示し、
図１６は、図１５のプレートをキャップのガス抜きモード設定箇所に保持した使用状態を示し、
図１７は、内容物噴射用のパイプからなるガス抜き具をキャップの保管部分に保持した状態を示し、
図１８は、図１７のパイプをキャップのガス抜きモード設定箇所（天面垂下部分）に保持した状態を示している。
【００１９】
ここで、図１，図３，図５，図７，図９，図１２，図１５および図１７の各バルブ機構（操作ボタンおよびステムの状態）は静止モードである。
【００２０】
なお、以下のアルファベット付き参照番号の構成要素（例えば外側環状端部２ａ）は原則として、当該参照番号の数字部分の構成要素（例えばマウンティングキャップ２）の一部であることを示している。
【００２１】
図１〜図１８において、
１は後述の内容物および噴射用ガスを収納したエアゾール式製品の容器本体，
１ａは後述の膨出域４ｔが着脱自在な態様で係合する外側環状凹部，
２は容器本体１の開口端部側に取り付けられたマウンティングキャップ，
２ａは後述の膨出域４ｇが着脱自在な態様で係合する外側環状端部，
３は周知のバルブ機構（図示省略）の構成要素であるステムに取り付けられて押圧操作により上下動するタイプの操作ボタン，
３ａは作動モード設定やガス抜きモード設定の際に用いられる操作面部分，
をそれぞれ示している。
【００２２】
また、
４は容器本体側（容器本体１やマウンティングキャップ２）に取り付けられて不使用状態の操作ボタンを保護するためのキャップ，
４ａは容器本体側に取り付けられたときにマウンティングキャップ２に係止される筒状の内コア（図３，図４，図７〜図１６のみ），
４ｂは容器本体側に取り付けられたときに容器本体１（の胴部と肩部との巻き締め部分）に係止される筒状の外コア，
４ｃは当該内コアおよび当該外コアと一体の天面，
４ｄは内コア４ａの下端開口部分から上方向に周面の途中まで形成され、後述のＣ字状部材９（ガス抜き具）のガス抜きモード位置への設定用空間域として作用し、また、キャップが容器本体側に取り付けられた状態での当該内コアの内外連通用空間域として作用する三個の下端側スリット状部，
４ｄ’は内コア４ａの下端開口部分から上方向に天面部分まで形成され、後述のＣ字状部材９’（ガス抜き具）のガス抜きモード位置への設定用空間域として作用し、また、キャップが容器本体側に取り付けられた状態での当該内コアの内外連通用空間域として作用する三個の下端側スリット状部（図１２，図１３，図１４のみ），
４ｅは内コア４ａの内周面中央片側の周方向に形成されて後述の湾曲板８を天面４ｃとの間の当該内周面部分に保持するための突状部（図７，図８のみ），
４ｆは内コア４ａの内周面上側の周方向に形成され、不使用状態の後述の鞘状プレート１０（ガス抜き具）を天面４ｃとの間に係止して保持するための環状突状部（図１５，図１６のみ），
４ｇは内コア４ａの内周面下端側部分の周方向に形成されてマウンティングキャップ２の外側環状端部２ａと係合する三個の膨出域，
４ｈは外コア４ｂの一部の上下方向に形成され、キャップが容器本体側に取り付けられた状態において当該容器本体側から離間する形態の拡大域，
４ｊは当該拡大域の外側の上下方向に形成され、不使用状態の後述のパイプ７（ガス抜き具）を収容するための縦凹状部，
４ｋは天面４ｃの内コア対応部分に形成されたガス流出経路用の孔部，
４ｍは天面４ｃの外コア対応部分に形成されたガス流出経路用の孔部，
４ｎは天面４ｃの内コア対応部分に形成され、後述の押圧ピン６（ガス抜き具）をガス抜きモード位置に設定するための孔部（図１，図２のみ），
４ｐは天面４ｃの外コア対応部分に形成され、不使用状態の当該押圧ピンを保管するための鞘状部（図１，図２のみ），
４ｑは天面４ｃの内コア対応部分に形成され、後述のパイプ７（ガス抜き具）をガス抜きモード位置に設定するための二つの煙突状孔部（図５，図６のみ），
４ｒは天面４ｃの内コア対応の端部分に形成され、後述の湾曲板８を案内して保持する浅い溝状部（図７，図８のみ），
４ｓは天面４ｃの内コア対応部分の径方向に形成され、後述のＣ字状部材９’を使用状態に保持するための三個のリブ（図１２，図１３，図１４のみ），
４ｔは外コア４ｂの内周面下端側部分の周方向に形成されて容器本体１の外側環状凹部１ａと係合する膨出域，
４ｕは外コア４ｂの内側の上下方向に形成され、キャップが容器本体側に取り付けられた状態において容器本体１の胴部と肩部との巻き締め部分に下端が当接する八個のリブ，
４ｖは外コア４ｂから天井面４ｃにかけて形成されたガス流出経路用の開口部，
４ｗ，４ｗ’は天面４ｃから垂下した一組の板状部分の下端側にそれぞれ形成され、後述のパイプ７（ガス抜き具）やその他のガス抜き具となる棒状部材をガス抜きモード位置に設定するための二対のΩ字状切欠部（図１７，図１８のみ），
をそれぞれ示している。
【００２３】
また、
５はガス抜き具としての、可撓性（変形性状）の発泡性部材からなるスポンジ（図３，図４のみ），
６はガス抜き具としての、図示上下方向断面がＴ字状で孔部４ｎに対して一方向性の（＝一方向に対する移動阻止機能を備えた）押圧ピン（図１，図２のみ），
６ａは孔部４ｎよりも大きな径部分からなる押圧操作面，
６ｂは軸部周面に形成された一方向性の形状、すなわち孔部４ｎにいったん押し込まれると元の方向への復帰が阻止される形状からなる複数個（図示の場合は四個）の環状係止部，
６ｃは当該環状係止部のそれぞれを構成する押圧操作面側の水平面状または椀内周面状の復帰阻止用面部分，
６ｄは当該環状係止部のそれぞれを構成し、当該復帰阻止面部分の反対側に形成された椀外周面状の押入れ作動用面部分，
６ｅは当該環状係止部の下方（押圧操作面とは反対の側）の軸部周面に形成されてガス抜き具保管用の鞘状部４ｐの内周面下端側部分と係合する環状突部
７は操作ボタン３に形成された周知の噴射口に取り付けられて使用され、かつ、ガス抜き具としても作用する可撓性（変形性状）の棒状部材であるパイプ（図５，図６，図１７，図１８のみ），
をそれぞれ示している。
【００２４】
また、
８はガス抜き具としての湾曲板（図７，図８のみ），
９はガス抜き具としてのＣ字状部材（図９，図１０，図１１のみ），
９ａは当該Ｃ字状部材の周面部分に形成され、ガス抜きモード設定の際に内コア４ａの下端側スリット状部４ｄに入り込む態様の二個の上端側スリット状部，
９ｂは当該二個の上端側スリット状部の間に形成され、ガス抜きモードにおいて操作ボタン３に対しこれをいわば跨ぐ形の押圧作用を呈する下端側の切欠部横方向端面，
９’はガス抜き具としてのＣ字状部材（図１２，図１３，図１４のみ）
１０はガス抜き具としての鞘状プレート（皿状プレート：図１５，図１６のみ），
１０ａは当該鞘状プレートの底部，
１０ｂは当該底部の端部分から起立した形の環状壁部，
１０ｃは当該環状壁部の下端側に形成され、不使用状態の当該鞘状プレートの内コア４ａへの保管に際してその環状突状部４ｆと係合する環状鍔部，
１０ｄは当該環状鍔部の一部に内側へ延びる態様で形成され、利用者が保管状態の当該鞘状プレートを取外す際の把持部として作用する突状片部，
１０ｅは当該突状片部から底部側に続く環状壁部の部分（周面部分）および当該突状片部分と対向する底面部分に連続する態様で形成された開口部，
ｓ１は内コア４ａの中の鞘状空間域，
ｓ２は内コア４ａと外コア４ｂとの間の環状空間域，
をそれぞれ示している。
【００２５】
ここで、容器本体１やマウンティングキャップ２は例えば金属性のものである。操作ボタン３，キャップ４，スポンジ５，押圧ピン６，湾曲板８，Ｃ字状部材９，９’および鞘状プレート１０は例えばポリプロピレン，ポリエチレン，ポリアセタール，ナイロン，ポリブチレンテレフタレートなどからなるプラスチック製のものである。なお、スポンジ５はゴム製や布製でのものでもよい。
【００２６】
図示の各種ガス抜き具（スポンジ５，押圧ピン６，パイプ７，湾曲板８，Ｃ字状部材９および鞘状プレート１０）はいずれも、通常はキャップ４のそれぞれの保管部分に保持されており、ガス抜きモードを設定する際には当該保管部分から取外されて、キャップ内のそれぞれのガス抜きモード設定箇所に保持される。
【００２７】
すなわち、ガス抜きモードの設定に際して、
(21)図１の押圧ピン６は、天面４ｃの孔部４ｎに取り付けられ（図２参照）、
(22)図３のスポンジ５は、内コア４ａの内周面に取り付けられ（図４参照）、
(23)図５のパイプ７は、Ｕ字状に曲げられてから天面４ｃの二個の煙突状孔部４ｑに取り付けられ（図６参照）、
(24)図７の湾曲板８は、内コア４ａの内周面に取り付けられ（図８参照）、
(25)図９のＣ字状部材９は、内コア４ａのスリット状部４ｄに取り付けられ（図１０，図１１参照）、
(26)図１２のＣ字状部材９’は、内コア４ａのスリット状部４ｄ’に取り付けられ（図１３，図１４参照）、
(27)図１５の鞘状プレート１０は、内コア４ａの内周面に取り付けられ（図１６参照）、
(28)図１７のパイプ７は、Ｕ字状に曲げられてから四つのΩ字状切欠部４ｗ，４ｗ’に取り付けられている（図１８参照）。
【００２８】
図１および図２において、ガス抜きモード設定にいたるまでの押圧ピン６は環状空間域ｓ２の鞘状部４ｐに嵌合した状態でキャップ４に保持されている（図１参照）。
【００２９】
図１の保管状態の押圧ピン６によりガス抜きモードを設定するには、先ず当該押圧ピンをキャップ４から取外した上で当該キャップを容器本体側に取り付け、その後、当該押圧ピンの操作面６ａを押圧して天面４ｃの孔部４ｎに押し込んでいけばよい（図２参照）。
【００３０】
上述したように押圧ピン６の周面部分には、孔部４ｎにいったん押し込まれると元の方向への復帰が阻止される形状からなる複数の環状係止部６ｂが設けられている。
【００３１】
押圧ピン６は、操作ボタン３が作動モード対応位置（例えば操作ボタンの最下動位置）まで移動したときに孔部４ｎのいわば直下に位置している環状係止部６ｂの作用によって、当該孔部にいわば固定され、ガス抜きモードに移行する。
【００３２】
図２のガス抜きモードにおける残留ガスの放出経路は「操作ボタン３の噴射孔−開口部４ｖ」となる。
【００３３】
なお、環状係止部６ｂはそれぞれ可撓性（弾性）を有している。その構成要素である復帰阻止用面部分６ｃおよび押入れ作動用面部分６ｄは、当該環状係止部の外端側部分が図示上方向へは変形し、図示下方向へは変形しない形状に設定されている。すなわち、復帰阻止用面部分６ｃは水平面状または椀内周面状の面部分からなり、押入れ作動用面部分６ｄは椀外周面状の面部分からなっている。
【００３４】
そのため、押圧ピン６を取外した後のキャップ４を容器本体側に取り付けてからその孔部４ｎに入れられた当該押圧ピンは、周知のステム付勢用の上方向の弾性力を受けたとしても当該孔部から抜けるようなことがない。
【００３５】
また、環状係止部６ｂは軸方向に離隔する態様で複数（図示の場合は四個）形成されているため、操作ボタン３の天面部分とキャップ４の天面（下面部分）との距離にばらつきがあるようなケースでも、当該各操作ボタンを作動モード対応位置に下動させた状態に対応する最適位置の環状係止部６ｂが孔部４ｎと係合する。
【００３６】
このばらつきが生じるのは、ステムに取り付けられた操作ボタンの天面位置が異なる場合や、容器本体側に取り付けられたキャップ４の天面（下面）位置が異なる場合などである。いずれの場合にも操作ボタン３およびこれと一体のステム（図示省略）は、複数形成された環状係止部６ｂのいわば選択的な作動により最適なガス抜きモード位置に設定される。
【００３７】
なお、押圧ピン６を図示のように孔部４ｎに押し込んでいくとき、先ず椀外周面状の押入れ作動用面部分６ｄが当該孔部の縁部分に当たって上方向の力を受ける。そして、当該押入れ作動用面部分および、その反対側（上側）で水平面状または椀内周面状の復帰阻止用面部分６ｃの外端側部分が上方向にわずかながら弾性変形して孔部４ｎを通過する。複数の環状係止部６ｂのそれぞれが孔部４ｎを図示下方向に通過できるのは勿論である。
【００３８】
孔部４ｎを通過した環状係止部６ｂはその上記弾性変形部分が元の形状に復帰するため、復帰阻止用面部分６ｃが孔部４ｎの近傍の天面４ｃの下面部分と対向する。この対向状態で押圧ピン６が上方向への力を受けても上記形状の押入れ作動用面部分６ｄおよび復帰阻止用面部分６ｃの外端側部分が下方向に変形することはない。すなわち、いったん当該対向状態になった押圧ピン６が孔部４ｎから図示上方向に抜けることはない。
【００３９】
図３および図４において、スポンジ５は、ガス抜きモードの設定にいたるまで環状空間域ｓ２に押し込まれた状態でキャップ４に保持されている（図３参照）。
【００４０】
このとき、直方体形状のスポンジ５は、底面や上面よりも表面積が小さい一対の（長い方の）側面部分を上下面とする形で環状空間域ｓ２に入り込んでいる。
【００４１】
そして、環状空間域ｓ２に保持されたスポンジ５は図３(a)から明らかなように、図示左側の面（底面または上面の一方）の一箇所の中央上下方向部分が内コア４ａの外周面に当接し、図示右側の面（底面または上面の他方）の二箇所の端上下方向部分がそれぞれ外コア４ｂの内周面に当接している。
【００４２】
この当接作用により、可撓性のスポンジ５はいわば弾性変形してその復帰力で内コア４ａの外周面および外コア４ｂの内周面に確実に保持される。
【００４３】
図３の保管状態のスポンジ５によりガス抜きモードを設定するには、当該スポンジを、環状空間域ｓ２から取り出した上で、その上面および底面が上下面となる形にしてキャップ４の鞘状空間域ｓ１に押し込み、続いて当該キャップを容器本体側に取り付ければよい（図４参照）。
【００４４】
鞘状空間域ｓ１に押し込まれスポンジ５は、図４(a)で示されるようにその四隅の上下方向部分が内コア４ａの内周面に当接して、図３(a)の場合と同様に、その弾性変形にともなう復帰力で当該内周面に確実に保持される。
【００４５】
スポンジ５が鞘状空間域ｓ１に組み込まれたキャップ４を容器本体側に取り付けることにより、操作ボタン３は、当該スポンジの底面部分でその変形をともないながら押圧されて作動モード対応位置まで下動し、その位置にて保持される。
【００４６】
その結果、操作ボタン３と一体の周知のステム機構の弁部分が開いて容器内部と外部空間とが連通し、容器内部の残留ガスが操作ボタン３の噴射孔から外部空間に流出する。すなわちガス抜きモードに移行する。
【００４７】
このように、内コア４ａと外コア４ｂを有するタイプのキャップ４が元々備えている鞘状空間域ｓ１と内コア・外コア間の環状空間域ｓ２を有効的に利用している。
【００４８】
なお、スポンジ５を鞘状空間域ｓ２に組み込んだガス抜きモード設定の準備段階で、当該スポンジをキャップ４の天面（下面）４ｃに当接させるかどうかは任意である。仮に当接していなくても当該キャップを容器本体側に取り付ける際に、スポンジ５は操作ボタン３に押されて天面側へ移動する。
【００４９】
図４のガス抜きモードにおける残留ガスの放出経路は、
・操作ボタン３の噴射孔−内コア４ａの下端側スリット状部４ｄ−外コア４ｂの拡大域４ｈの内側空間域
・操作ボタン３の噴射孔−内コア４ａの下端側スリット状部４ｄ−天面４ｃの孔部４ｍ
・操作ボタン３の噴射孔−天面４ｃの孔部４ｋ
の三系統となる。
【００５０】
なお、ここで用いるガス抜き具としては上述の変形・復帰作用を呈する任意のものでよい。プラスチック製，ゴム製，金属製，布製のものが利用可能である。また、復帰作用は期待できないものの、変形可能であって内コア４ａ，外コア４ｂとの摩擦力が十分に確保されるいわば金属束子や、細い竹を束ねたものなどを用いてもよい。
【００５１】
図５および図６において、ガス抜きモードの設定にいたるまでのパイプ７はキャップ４の縦凹状部４ｊに保持されている（図５参照）。
【００５２】
図５の保管状態のパイプ７によりガス抜きモードを設定するには、先ず当該パイプをキャップ４から取外してＵ字状に変形させ、パイプ端部のそれぞれを当該キャップの煙突状孔部４ｑに入れてから、当該キャップを容器本体側に取り付ければよい（図６参照）。
【００５３】
この取付け動作にともない、
(31)Ｕ字状になっているパイプ７の底部分に操作ボタン３の天面（操作面部分３ａ）が当接し、
(32)パイプ７の全体がその上限位置まで移動し、かつ、操作ボタン３がパイプ７の底部分で押圧されて作動モード対応位置まで下動し、
(33)ガス抜きモードに移行する。
【００５４】
図６ガス抜きモードにおける残留ガスの放出経路は「操作ボタン３の噴射孔−煙突状孔部４ｑ」となる。ここで、煙突状孔部４ｑは、その内周面にスリットが設けられており、パイプ７を挿入した状態でも残留ガスが十分通過できるだけの隙間がパイプ７との間に生じるようになっている。前記スリットの代わりに天面４ｃに残留ガス通過用の孔部を設けてもよい。
【００５５】
なお、図５および図６における不使用状態のパイプ７の保管場所を容器本体側とし、例えば容器本体１の外周面に形成された上下方向などの溝状部に当該パイプを収納してもよい。また、噴射内容物の通路として作用するパイプ７に代えて、当該通路を備えないタイプの長尺物を用いるようにしてもよい。また、ここでのガス抜き具は少なくとも変形性を備えていればよく、いわゆる復元性を備えていない塑性タイプのものでもよい。
【００５６】
図７および図８において、ガス抜きモードの設定にいたるまでの湾曲板８は内コア４ａの上側内周面部分に当接した状態でキャップ４に保持されている（図７参照）。なお、湾曲板８は可撓性（弾性）を有している。
【００５７】
このとき、湾曲板８の上端部分は天面４ｃの溝状部４ｒに案内され、下端部分は内コア４ａの突状部４ｅに係止されている。
【００５８】
図７の保管状態の湾曲板８によりガス抜きモードを設定するには、先ずいったん当該湾曲板をキャップ４から取外して下に凸となる態様で鞘状空間域ｓ１に再度入れてから、当該キャップを容器本体側に取り付ければよい（図８参照）。
【００５９】
この鞘状空間域ｓ１に入れられた湾曲板８は、その弾性に抗する形で図示の短片側の一対の端部がより近づく方向にいくらか変形し、その四箇所の角部が内コア４ａの内周面に当接した状態で保持されている。この保持状態、すなわちガス抜きモード設定のいわば準備状態において湾曲板８の短片側端部をキャップ４の天面（下面部分）４ｃに当接させるかどうかは任意である。
【００６０】
この準備状態のキャップ４の容器本体側への取付け動作にともない、
(41)操作ボタン３と当接する湾曲板８がその上限位置に確実に設定され、かつ、操作ボタン３が当該湾曲板の底部分で押圧されて作動モード対応位置まで下動し、
(42)ガス抜きモードに移行する。
【００６１】
図８ガス抜きモードにおける残留ガスの放出経路は、
・操作ボタン３の噴射孔−内コア４ａの下端側スリット状部４ｄ−外コア４ｂの拡大域４ｈの内側空間域
・操作ボタン３の噴射孔−内コア４ａの下端側スリット状部４ｄ−天面４ｃの孔部４ｍ
・操作ボタン３の噴射孔−天面４ｃの孔部４ｋ
の三系統となる。
【００６２】
なお、ガス抜きモード設定に際して、湾曲板８の短片側端部をキャップ４の天面（下面部分）４ｃのみに係止させる、すなわち当該湾曲板の四箇所の角部を内コア４ａの内周面に当接させない態様にしてもよい。この場合キャップ４の天面（下面部分）４ｃに係止作用部分を形成する。
【００６３】
図９，図１０および図１１において、ガス抜きモードの設定にいたるまでのＣ字状部材９は内コア４ａの上側内周面部分に当接した状態でキャップ４に保持されている（図９参照）。なお、Ｃ字状部材９は可撓性（弾性）を有している。
【００６４】
この当接状態のＣ字状部材９は、その弾性に抗する形で一対の周方向端部がより近づく方向にいくらか変形している。
【００６５】
図９の保管状態のＣ字状部材９によりガス抜きモードを設定するには、いったん当該Ｃ字状部材をキャップ４から取外してその上端側スリット状部９ａを内コア４ａの下端側スリット状部４ｄに係止させてから、当該キャップを容器本体側に取り付ければよい（図１０，図１１参照）。
【００６６】
この係止状態のＣ字状部材９は、その弾性に抗する形で上記周方向端部がより離れる方向にいくらか変形し、その切欠部横方向端面９ｂが操作ボタン３の真上に位置している。この係止状態、すなわちガス抜きモード設定のいわば準備状態においてＣ字状部材９の上側端部をキャップ４の天面（下面部分）４ｃに当接させるかどうかは任意である。
【００６７】
この準備状態のキャップ４の容器本体側への取付け動作にともない、
(51)操作ボタン３と当接するＣ字状部材９がその上限位置に確実に設定され、かつ、操作ボタン３が当該Ｃ字状部材の切欠部横方向端面９ｂで押圧されて作動モード対応位置まで下動し、
(52)ガス抜きモードに移行する。
【００６８】
図１０，図１１のガス抜きモードにおける残留ガスの放出経路は、
・操作ボタン３の噴射孔−内コア４ａの下端側スリット状部４ｄ−外コア４ｂの拡大域４ｈの内側空間域
・操作ボタン３の噴射孔−内コア４ａの下端側スリット状部４ｄ−天面４ｃの孔部４ｍ
・操作ボタン３の噴射孔−内コア４ａとＣ字状部材９とで囲まれる空間域−天面４ｃの孔部４ｋ
の三系統となる。ここで「内コア４ａとＣ字状部材９とで囲まれる空間域−天面４ｃの孔部４ｋ」はＣ字状部材９に特有の経路となっている。
【００６９】
図１２〜図１４におけるＣ字状部材９’の保管形態，ガス抜きモードへの設定手順やＣ字状部材自体の可撓性（弾性）、また残留ガスの放出経路などは、図９〜図１１のＣ字状部材９の場合と基本的に同じである。
【００７０】
違うのは、Ｃ字状部材９’に、内コア４ａの下端側スリット状部４ｄ’の係止相手である上端側スリット状部９ａを形成していないことにもっぱら基づくものであって、
(61)Ｃ字状部材９’の全体が同じ高さ（≒Ｃ字状部材９の切欠部横方向端面９ｂの部分の高さ）からなり、
(62)内コア４ａの下端側スリット状部４ｄ’を天面部分まで形成し、
(63)ガス抜きモード設定に際してＣ字状部材９’を下端側スリット状部４ｄ’に安定的に係止するためのリブ４ｓを天面４ｃに形成した、
ことなどである。
【００７１】
内コア４ａの下端側スリット状部４ｄ’が天面部分まで形成されているので、ガス抜きモードの容器内部の残留ガスは鞘状空間域ｓ１から環状空間域ｓ２に流出しやすい。
【００７２】
図１５および図１６において、ガス抜きモードの設定にいたるまでの鞘状プレート１０は、その底部１０ａが天面４ｃに当接し、その環状鍔部１０ｃが内コア４ａの環状突状部４ｆに係止した状態でキャップ４に保持されている（図１５参照）。なお、環状鍔部１０ｃやこれに続く環状壁部１０ｂは可撓性（弾性）を有している。
【００７３】
この保持状態の環状壁部１０ｂなどは、その弾性に抗する形で環状鍔部１０ｃが内側に近づく方向にいくらか変形している。
【００７４】
図１５の保管状態の鞘状プレート１０によりガス抜きモードを設定するには、いったん当該鞘状プレートをキャップ４から取外して上下を逆にした状態で環状鍔部１０ｃを内コア４ａの内周面に係止させてから、当該キャップを容器本体側に取り付ければよい（図１６参照）。
【００７５】
この係止状態の環状壁部１０ｂは、その弾性に抗する形で内側にいくらか変形している。この係止状態、すなわちガス抜きモード設定のいわば準備状態において環状鍔部１０ｃをキャップ４の天面（下面部分）４ｃに当接させるかどうかは任意である。
【００７６】
この準備状態のキャップ４の容器本体側への取付け動作にともない、
(71)操作ボタン３と当接する鞘状プレート１０がその上限位置に確実に設定され、かつ、操作ボタン３が当該鞘状プレートの底部１０ａで押圧されて作動モード対応位置まで下動し、
(72)ガス抜きモードに移行する。
【００７７】
図１６ガス抜きモードにおける残留ガスの放出経路は、
・操作ボタン３の噴射孔−内コア４ａの下端側スリット状部４ｄ−外コア４ｂの拡大域４ｈの内側空間域
・操作ボタン３の噴射孔−内コア４ａの下端側スリット状部４ｄ−天面４ｃの孔部４ｍ
・操作ボタン３の噴射孔−鞘状プレート１０の開口部１０ｅ−天面４ｃの孔部４ｋ
の三系統となる。
【００７８】
鞘状プレート１０の開口部１０ｅは、このように残留ガスの放出経路としての作用と、当該鞘状プレートをキャップ４の鞘状空間域ｓ１から取り外したり当該鞘状空間域に取り付けたりする際の把持部としての作用を呈している。
【００７９】
図１７および図１８において、ガス抜きモードの設定にいたるまでのガス抜き具であるパイプ７はキャップ４の縦凹状部４ｊに保持されている（図１７参照）。
【００８０】
図１７の保管状態のパイプ７によりガス抜きモードを設定するには、先ず当該パイプをキャップ４から取外してＵ字状に屈曲させた上で、その二箇所の直線部をそれぞれΩ字状切欠部４ｗ，４ｗ’に嵌め込んでから、当該キャップを容器本体側に取り付ければよい（図１８参照）。
【００８１】
この取付け動作にともない、
(81)Ｕ字状になっているパイプ７の直線部に操作ボタン３の天面（操作面部分３ａ）が当接し、
(82)操作ボタン３がパイプ７の底部分で押圧されて作動モード対応位置まで下動し、
(83)ガス抜きモードに移行する。
【００８２】
なお、パイプ７はガス抜き具となる棒状部材の一例であって、（図１７，図１８の）パイプ７を紛失した場合には、当該パイプの代用のガス抜き具としてマッチ棒，爪楊枝，クリップ，ヘアピン，ボールペンの芯などの一般家庭にある各種棒状部材を使用することができる。棒状部材によってはΩ字状切欠部４ｗまたは４ｗ’の何れか片方に取り付けるだけでもよい。
【００８３】
図１８のガス抜きモードにおける残留ガスの放出経路は「操作ボタン３の噴射孔−開口部４ｖ」となる。
【００８４】
なお、図１７および図１８における不使用状態のパイプ７の保管場所を容器本体側とし、例えば容器本体１の外周面に形成された上下方向などの溝状部に当該パイプを収納してもよい。また、噴射内容物の通路として作用するパイプ７に代えて、当該通路を備えないタイプの長尺物を用いるようにしてもよい。また、ここでのガス抜き具は少なくとも操作ボタン３の押圧を維持できる剛性を備えていればよい。
【００８５】
以上の説明では容器本体１の操作ボタン３を上側にした状態（正立状態）でのガス抜きモードを対象としているが、容器本体１の操作ボタン３を下側にした状態（倒立状態）でガス抜きさせてもよい。なお、図２および図６におけるキャップ４および容器本体１の倒立状態を維持しやすいように天面４ｃの外側に倒立用の脚部や、煙突状孔部４ｑから飛び出たパイプ７が倒立の妨げにならないようにするためのパイプ係止部を設けてもよい。
【００８６】
本発明が、以上の説明にかかるガス抜き具やキャップに限定されないことは勿論であって例えば、
(91)図１，図２，図５，図６，図１７および図１８のガス抜き具におけるキャップ４の筒状部として内コアおよび外コアの両方を形成する、
(92)図３，図４，図７〜図１６のガス抜き具におけるキャップ４の筒状部を内コアまたは外コアの一方のみで形成する、
(93)操作ボタン押圧用のＵ字状パイプ７を複数（例えば二個）用い、かつ、各パイプの煙突状孔部４ｑを形成する、
(94)湾曲板８やＣ字状部材９，９’を内コア４ａの外周面部分や外コア４ｂの内周面部分，外周面部分に保持する、
(95)鞘状プレート１０を、キャップ４の天面（下面部分）４ｃとの係合作用により、ガス抜きモード以外の保管状態やガス抜きモードの設定状態に保持する、
(96)Ω字状切欠部４ｗ，４ｗ’に代えて、略Ｖ字状や略Ｕ字状の切欠部を形成する、
ようにしてもよい。
【００８７】
また、本発明のエアゾール用キャップは文字通りの「ガス抜き」だけではなく、殺虫剤や消臭剤などを連続して室内に充満させる場合や、エアゾール容器に残留している内容物を排出してから廃棄する場合など、内容物の連続噴射の用途にも適用することができる。この連続噴射時におけるエアゾール式製品の作動機構、すなわち操作ボタンを作動モード対応位置に噴射操作終了後も連続して保持する機構はガス抜きモードの保持機構と同じであり、連続噴射はガス抜きモードの概念と実質的に重なるともいえる。
【００８８】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００８９】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００９０】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００９１】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００９２】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００９３】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００９４】
高分子化合物としては、メチルセルロース，ゼラチン，デンプン，カゼイン，ヒドロキシエチルセルロース，キサンタンガム，カルボキシビニルポリマーなどを用いる。
【００９５】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００９６】
さらに、上記内容物以外の、懸濁剤，紫外線吸収剤，乳化剤，保湿剤，酸化防止剤、金属イオン封鎖剤なども用いることができる。
【００９７】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００９８】
【図１】一方向性の押圧ピンからなるガス抜き具をキャップの保管部分に保持した状態を示す説明図である。
【図２】図１の押圧ピンをキャップのガス抜きモード設定箇所に保持した状態を示す説明図である。
【図３】スポンジからなるガス抜き具をキャップの保管部分に保持した状態を示す説明図である。
【図４】図３のスポンジをキャップのガス抜きモード設定箇所に保持した状態を示す説明図である。
【図５】内容物噴射用のパイプからなるガス抜き具をキャップの保管部分に保持した状態を示す説明図である。
【図６】図５のパイプをキャップのガス抜きモード設定箇所（煙突状孔部）に保持した状態を示す説明図である。
【図７】湾曲板からなるガス抜き具をキャップの保管部分に保持した状態を示す説明図である。
【図８】図７の湾曲板をキャップのガス抜きモード設定箇所に保持した状態を示す説明図である。
【図９】Ｃ字状部材（その１）からなるガス抜き具をキャップの保管部分に保持した不使用状態を示す説明図である。
【図１０】図９のＣ字状部材をキャップのガス抜きモード設定箇所に保持した使用状態の斜視図および、当該Ｃ字状部材の斜視図を示す説明図である。
【図１１】図９のＣ字状部材をキャップのガス抜きモード設定箇所に保持した使用状態の平面図などを示す説明図である。
【図１２】Ｃ字状部材（その２）からなるガス抜き具をキャップの保管部分に保持した不使用状態を示す説明図である。
【図１３】図１２のＣ字状部材をキャップのガス抜きモード設定箇所に保持した使用状態の斜視図および、当該Ｃ字状部材の斜視図を示す説明図である。
【図１４】図１２のＣ字状部材をキャップのガス抜きモード設定箇所に保持した使用状態の平面図などを示す説明図である。
【図１５】鞘状プレートからなるガス抜き具をキャップの保管部分に保持した不使用状態を示す説明図である。
【図１６】図１５のプレートをキャップのガス抜きモード設定箇所に保持した使用状態を示す説明図である。
【図１７】内容物噴射用のパイプからなるガス抜き具をキャップの保管部分に保持した状態を示す説明図である。
【図１８】図１７のパイプをキャップのガス抜きモード設定箇所（天面垂下部分）に保持した状態を示す説明図である。
【符号の説明】
【００９９】
１：エアゾール式製品の容器本体
１ａ：外側環状凹部
２：マウンティングキャップ
２ａ：外側環状端部
３：操作ボタン
３ａ：操作面部分
４：キャップ
４ａ：筒状の内コア
４ｂ：筒状の外コア
４ｃ：天面
４ｄ:下端側スリット状部
４ｄ’:下端側スリット状部（図１２，図１３，図１４のみ）
４ｅ：突状部（図７，図８のみ）
４ｆ：環状突状部（図１５，図１６のみ）
４ｇ：膨出域
４ｈ：拡大域
４ｊ：縦凹状部
４ｋ，４ｍ：ガス流出経路用の孔部
４ｎ：ガス抜きモード設定用の孔部（図１，図２のみ）
４ｐ：鞘状部（図１，図２のみ）
４ｑ：ガス抜きモード設定用の二つの煙突状孔部（図５，図６のみ）
４ｒ：浅い溝状部（図７，図８のみ）
４ｓ：三個のリブ（図１２，図１３，図１４のみ）
４ｔ：膨出域
４ｕ：リブ
４ｖ：ガス流出経路用の開口部
４ｗ，4ｗ’：Ω字状切欠部（図１７，図１８のみ）
５：スポンジ（図３，図４のみ）
６：押圧ピン（図１，図２のみ）
６ａ：押圧操作面
６ｂ：四個の環状係止部
６ｃ：水平面状または椀内周面状の復帰阻止用面部分
６ｄ：椀外周面状の押入れ作動用面部分
６ｅ：環状突部
７：パイプ（図５，図６，図１７，図１８のみ）
８：湾曲板（図７，図８のみ）
９：Ｃ字状部材（図９，図１０，図１１のみ）
９ａ：二個の上端側スリット状部
９ｂ：下端側の切欠部横方向端面
９’：Ｃ字状部材（図１２，図１３，図１４のみ）
１０：鞘状プレート（図１５，図１６のみ）
１０ａ：底部
１０ｂ：環状壁部
１０ｃ：環状鍔部
１０ｄ：突状片部
１０ｅ：開口部
ｓ１：鞘状空間域
ｓ２：環状空間域
【図１】
2010006397.tif 000003
【図２】
2010006397.tif 000004
【図３】
2010006397.tif 000005
【図４】
2010006397.tif 000006
【図５】
2010006397.tif 000007
【図６】
2010006397.tif 000008
【図７】
2010006397.tif 000009
【図８】
2010006397.tif 000010
【図９】
2010006397.tif 000011
【図１０】
2010006397.tif 000012
【図１１】
2010006397.tif 000013
【図１２】
2010006397.tif 000014
【図１３】
2010006397.tif 000015
【図１４】
2010006397.tif 000016
【図１５】
2010006397.tif 000017
【図１６】
2010006397.tif 000018
【図１７】
2010006397.tif 000019
【図１８】
2010006397.tif 000020